(57)【特許請求の範囲】
【請求項１】
複数本の導電線が面状に並んだフラットケーブルと、
可撓性の絶縁シート、該絶縁シートの表面に積層された第１の導電層、該絶縁シートの裏面に積層された第２の導電層、および該第２の導電層上に積層された導電性粘着層を有する、該導電性粘着層を内側にして前記フラットケーブルに巻き付けられたシールド材とを備え、
前記シールド材が、前記フラットケーブルを取り巻いて該シールド材の一端部の上に他端部が重なり、該一端部の導電性粘着層が該他端部側に向くように該一端部が折り返されて、該一端部の導電性粘着層と該他端部の導電性粘着層が、該一端部の折り返された導電性粘着層の一部が前記他端部から食み出した状態に、互いに接着されており、
さらに、前記一端部の、前記他端部から食み出した領域と、前記第１の導電層の、該一端部側の前記シールド材の縁に隣接した領域とを含む領域に貼付された非導電性テープ材を備えたことを特徴とする信号伝送路。
【請求項２】
画像を表す光を受光して画像信号を出力する受光センサが搭載された第１の回路基板と、
前記第１の回路基板から前記画像信号を受け取って該画像信号に処理を施す処理回路が搭載された第２の回路基板と、
前記第１の回路基板から前記画像信号を前記第２の回路基板へ伝送する信号伝送路とを備え、
前記信号伝送路が、
複数本の導電線が面状に並んだフラットケーブルと、
可撓性の絶縁シート、該絶縁シートの表面に積層された第１の導電層、該絶縁シートの裏面に積層された第２の導電層、および該第２の導電層上に積層された導電性粘着層を有する、該導電性粘着層を内側にして前記フラットケーブルに巻き付けられたシールド材とを備え、
前記シールド材が、前記フラットケーブルを取り巻いて該シールド材の一端部の上に他端部が重なり、該一端部の導電性粘着層が該他端部側に向くように該一端部が折り返されて、該一端部の導電性粘着層と該他端部の導電性粘着層が、該一端部の折り返された導電性粘着層の一部が前記他端部から食み出した状態に、互いに接着されており、
さらに、前記一端部の、前記他端部から食み出した領域と、前記第１の導電層の、該一端部側の前記シールド材の縁に隣接した領域とを含む領域に貼付された非導電性テープ材を備えたことを特徴とする画像読取装置。
【請求項３】
画像を表す光を受光して画像信号を出力する受光センサが搭載された第１の回路基板と、
前記第１の回路基板から前記画像信号を受け取って該画像信号に処理を施す処理回路が搭載された第２の回路基板と、
前記第１の回路基板から前記画像信号を前記第２の回路基板へ伝送する信号伝送路と、
前記処理回路で処理された画像信号に基づく画像を形成する画像形成部とを備え、
前記信号伝送路が、
複数本の導電線が面状に並んだフラットケーブルと、
可撓性の絶縁シート、該絶縁シートの表面に積層された第１の導電層、該絶縁シートの裏面に積層された第２の導電層、および該第２の導電層上に積層された導電性粘着層を有する、該導電性粘着層を内側にして前記フラットケーブルに巻き付けられたシールド材とを備え、
前記シールド材が、前記フラットケーブルを取り巻いて該シールド材の一端部の上に他端部が重なり、該一端部の導電性粘着層が該他端部側に向くように該一端部が折り返されて、該一端部の導電性粘着層と該他端部の導電性粘着層が、該一端部の折り返された導電性粘着層の一部が前記他端部から食み出した状態に、互いに接着されており、
さらに、前記一端部の、前記他端部から食み出した領域と、前記第１の導電層の、該一端部側の前記シールド材の縁に隣接した領域とを含む領域に貼付された非導電性テープ材を備えたことを特徴とする画像形成装置。
【発明の詳細な説明】
【技術分野】
【０００１】
本発明は、シールド材、信号伝送路、画像読取装置、および画像形成装置に関する。
【背景技術】
【０００２】
フレキシブルケーブルの屈曲状態における少なくとも内側に沿って配設され、フレキシブルケーブルを覆う大きさのシールド電極を含む可撓性を有する補強板を用いることで、外部からの電磁波を遮断してその電磁波がフレキシブルケーブルに入ることを防ぐとともに、フレキシブルケーブルに生じた電磁波ノイズも遮断する技術が提案されている（例えば、特許文献１参照。）。また、この特許文献１には、その補強板として、導電性部材の薄膜からなるシールド電極をポリエステルなどの可撓性を有する絶縁性のシートで挟んで３層に形成したものや、シールド電極をプラスチックのシート一面に形成した２層のものが挙げられている。また、この特許文献１には、その補強板の一端が、グランド電位に落とされた地板に接続されていることが記載されている。
【０００３】
また、例えば画像形成装置における像露光装置（電子部品）とその制御回路（電子部品）とを電気的に接続するに際し、像露光装置のコネクタに対して着脱自在に結合されるコネクタと制御回路基板のコネクタに対して着脱自在に結合されるコネクタとを表面に配設するとともに、この両コネクタを接続する配線を内部に封じ込めるように配設した金属性筐体（導電性構造体）を、像露光装置と制御回路基板の間に配置し、ネジ止め等にてフレーム側に固定することで、配線部分から発生する電磁ノイズが外部に漏れ出ることを低減する技術が提案されている（例えば、特許文献２参照。）。
【０００４】
また、複数の基板を有する電子機器において、複数の基板の基板間を接続するフラットケーブルは、少なくともその一部分が導電性部材に接着されて、フラットケーブルユニットを形成し、このフラットケーブルユニットに固定されたフラットケーブルによって基板間の電気的な接続を行なうとともに、導電性部材は接続される基板のグランドレベルを決める部分（筐体フレーム）を橋渡しするように装着することで、基板間を接続するフラットケーブルからの放射ノイズの発生を抑える技術が提案されている（例えば、特許文献３参照。）。また、この特許文献３には、基板が開口部を有する壁面を隔て実装され、フラットケーブルユニットがこの開口部を貫通して実装される場合は、更に壁面接続部を用いて、壁面に対しても導電性部材を接続、固定することで、更に放射ノイズを低減することが記載されている。
【０００５】
また、プラスチックフィルムからなる絶縁層でラミネートされた複数の導体のうち、所望の導体の上部又は下部のフィルムを剥離してグランド線とし、このグランド線上の剥離凹部と剥離凹部を有する絶縁層上とに導電性インキを連続してコーティングし、片面にプラスチックフィルムを有し他面に熱融着性接着剤を部分塗工した金属箔よりなるシールドテープ層が接着剤面を内側にしてかつ金属箔を前記導電性インキに直接接触するようにして絶縁層に巻き付け加熱加圧接着して、グランド線と導電性インキ層とシールドテープ層とを一体的に接合した構成を有することで、グランド線とシールドテープ層とを導電性インキを介して電気的に接続せしめ、シールドテープ層とグランド線との間の接地抵抗が低くかつ安定した、外部や近接部品等からの電気的雑音防止にきわめて大きな効果を有するシールドフラット電線をうる技術が提案されている（例えば、特許文献４参照。）。
【先行技術文献】
【特許文献】
【０００６】
【特許文献１】特開平０２−１３７９６７号公報
【特許文献２】特開平１１−１２１０９８号公報
【特許文献３】特開２００４−１２２５８４号公報
【特許文献４】実開平０７−０４１８７４号公報
【発明の概要】
【発明が解決しようとする課題】
【０００７】
本発明は、シールド材がアンテナとなって発生するノイズ放射を抑える対策が低コストで実現されるシールド材、信号伝送路、画像読取装置、および画像形成装置を提供することを目的とする。
【課題を解決するための手段】
【０００９】
請求項１の信号伝送路は、
複数本の導電線が面状に並んだフラットケーブルと、
可撓性の絶縁シート、その絶縁シートの表面に積層された第１の導電層、その絶縁シートの裏面に積層された第２の導電層、およびこの第２の導電層上に積層された導電性粘着層を有する、この導電性粘着層を内側にして上記フラットケーブルに巻き付けられたシールド材とを備え、
上記シールド材が、上記フラットケーブルを取り巻いてそのシールド材の一端部の上に他端部が重なり、その一端部の導電性粘着層がその他端部側に向くようにその一端部が折り返されて、その一端部の導電性粘着層とその他端部の導電性粘着層が、その一端部の折り返された導電性粘着層の一部が上記他端部から食み出した状態に、互いに接着されており、
さらに、上記一端部の、上記他端部から食み出した領域と、上記第１の導電層の、その一端部側の上記シールド材の縁に隣接した領域とを含む領域に貼付された非導電性テープ材を備えたことを特徴とする。
【００１２】
請求項２の画像読取装置は、
画像を表す光を受光して画像信号を出力する受光センサが搭載された第１の回路基板と、
上記第１の回路基板から上記画像信号を受け取ってこの画像信号に処理を施す処理回路が搭載された第２の回路基板と、
上記第１の回路基板から上記画像信号を上記第２の回路基板へ伝送する信号伝送路とを備え、
上記信号伝送路が、
複数本の導電線が面状に並んだフラットケーブルと、
可撓性の絶縁シート、その絶縁シートの表面に積層された第１の導電層、その絶縁シートの裏面に積層された第２の導電層、およびこの第２の導電層上に積層された導電性粘着層を有する、この導電性粘着層を内側にして上記フラットケーブルに巻き付けられたシールド材とを備え、
上記シールド材が、上記フラットケーブルを取り巻いてそのシールド材の一端部の上に他端部が重なり、その一端部の導電性粘着層がその他端部側に向くようにその一端部が折り返されて、その一端部の導電性粘着層とその他端部の導電性粘着層が、その一端部の折り返された導電性粘着層の一部が上記他端部から食み出した状態に、互いに接着されており、
さらに、上記一端部の、上記他端部から食み出した領域と、上記第１の導電層の、その一端部側の上記シールド材の縁に隣接した領域とを含む領域に貼付された非導電性テープ材を備えたことを特徴とする。
【００１３】
請求項３の画像形成装置は、
画像を表す光を受光して画像信号を出力する受光センサが搭載された第１の回路基板と、
上記第１の回路基板から上記画像信号を受け取ってこの画像信号に処理を施す処理回路が搭載された第２の回路基板と、
上記第１の回路基板から上記画像信号を上記第２の回路基板へ伝送する信号伝送路と、
上記処理回路で処理された画像信号に基づく画像を形成する画像形成部とを備え、
上記信号伝送路が、
複数本の導電線が面状に並んだフラットケーブルと、
可撓性の絶縁シート、その絶縁シートの表面に積層された第１の導電層、その絶縁シートの裏面に積層された第２の導電層、およびこの第２の導電層上に積層された導電性粘着層を有する、この導電性粘着層を内側にして上記フラットケーブルに巻き付けられたシールド材とを備え、
上記シールド材が、上記フラットケーブルを取り巻いてそのシールド材の一端部の上に他端部が重なり、その一端部の導電性粘着層がその他端部側に向くようにその一端部が折り返されて、その一端部の導電性粘着層とその他端部の導電性粘着層が、その一端部の折り返された導電性粘着層の一部が上記他端部から食み出した状態に、互いに接着されており、
さらに、上記一端部の、上記他端部から食み出した領域と、上記第１の導電層の、その一端部側の上記シールド材の縁に隣接した領域とを含む領域に貼付された非導電性テープ材を備えたことを特徴とする。
【発明の効果】
【００１４】
請求項１の信号伝送路、請求項２の画像読取装置、および、請求項３の画像形成装置によれば、シールド材がアンテナとなって発生するノイズ放射を抑える対策が低コストで実現される。
【００１５】
また、請求項１の信号伝送路、請求項２の画像読取装置、および、請求項３の画像形成装置によれば、一端部の第１の導電層と他端部の第２の導電層とが、導電性粘着層を介して導通することが回避される。
【００１６】
さらに、 請求項１の信号伝送路、請求項２の画像読取装置、および、請求項３の画像形成装置によれば、一端部の第１の導電層と他端部の第２の導電層とが、導電性粘着層を介して導通することが確実に回避される。また、他端部から食み出した導電性粘着層の粘着面が覆われるとともに、一端部の折り返された部分が固定される。
【図面の簡単な説明】
【００１８】
【図１】本発明の画像形成装置の一実施形態を示す外観図である。
【図２】図１に示す画像形成装置の画像読取ユニットの概略構成を説明する図である。
【図３】図１に示す画像形成装置の画像形成ユニットの概略構成を説明する図である。
【図４】図２に示す信号伝送路の平面図である。
【図５】図４に示す線Ｃ−Ｃに沿った縦断面図である。
【図６】図４，図５に示すシールド材７２の端部処理を説明する図である。
【図７】第１の変形例におけるシールド材の端部処理を説明する縦断面図である。
【図８】第２の変形例におけるシールド材の端部処理を説明する縦断面図である。
【発明を実施するための形態】
【００１９】
以下、図面を参照して本発明の実施の形態を説明する。
【００２０】
図１は、本発明の画像形成装置の一実施形態を示す外観図である。
【００２１】
図１に示す画像形成装置１は、デジタル複合機であり、プリンタ、スキャナ、および複写機としての機能を備えている。画像形成装置１は、原稿画像を読み取る画像読取装置としての画像読取部２、用紙に画像を形成する画像形成ユニット３、および操作部４を備えている。
【００２２】
画像読取部２は、画像読取ユニット５と、この画像読取ユニット５を支持する支持部６とからなる。画像読取ユニット５は、画像形成ユニット３の上方に支持部６を介して取り付けられている。画像読取部２が、本発明の画像読取装置の一実施形態である。
【００２３】
操作部４は、操作者が操作よってコピー開始や、コピー枚数の情報を入力するためのものであり、画像読取ユニット５の縁に取り付けられている。
【００２４】
ここで、画像形成装置１において、操作部４が取り付けられた側すなわち矢印Ｘの方向にある側を前側とし、矢印Ｙの方向にある側を右側とし、矢印Ｘの方向にある側を上側とする。また、矢印Ｘ、矢印Ｙ、および矢印Ｘの反対方向の側をそれぞれの後側、左側、および下側とする。
【００２５】
画像読取ユニット５に上部には、カバー５１が設けられている。このカバー５１は、画像読取ユニット５の後縁にヒンジ部５２を介して回転自在に取り付けられており、画像読取ユニット５に対し開閉自在となっている。カバー５１の下には、原稿シートが載せられる読取面としてのプラテンガラス５３（図２参照）が備えられている。
【００２６】
画像形成ユニット３は、用紙に画像を形成するユニットであり、画像読取ユニット５で読み取られた原稿画像に対応する画像を用紙に形成することでコピー機能を実現する。画像形成ユニット３の下部には、画像を形成する用紙を収容する用紙トレイ３１，３２が備えられ、画像形成ユニット３の左側には、手差しで給紙される用紙を支持する手差しトレイ３３が備えられている。また、画像形成ユニット３の上部には、画像が形成され排出ロール３４によって排出された用紙を積載する排出トレイ３５が設けられている。詳細な説明は後述するが、画像形成ユニット３は、用紙トレイ３１，３２または手差しトレイ３３に収容された用紙に電子写真方式によって画像を形成し、排出トレイ３５上に排出する。この画像形成ユニット３が、本発明にいう画像形成部の一例に相当する。ここで、画像読取ユニット５は、画像形成ユニット３の上方に、排出トレイ３５上に積載された用紙が操作者によって取出し可能な空間をおいて配置されている。
【００２７】
このような構成の画像形成装置１では、例えば操作者によって、画像読取ユニット５上部のカバー５１が開けられ、プラテンガラス５３（図２参照）に原稿シートが載せられるとともに、操作部４が操作されてコピー開始の情報が入力されると、画像読取ユニット５がプラテンガラス５３に載せられた原稿シートから原稿画像を読み取り、画像形成ユニット３が、用紙トレイ３１，３２に収容された用紙に、画像読取ユニット５で読み取られた原稿画像に応じた画像を形成し、画像が形成された用紙を排出トレイ３５上に積載する。
【００２８】
図２は、図１に示す画像形成装置の画像読取ユニットの概略構成を説明する図である。
【００２９】
図２には、カバー５１が取り除かれた状態で、前側から見た画像読取ユニット５内部の概略構成が示されている。画像読取ユニット５は、原稿シートが載せられるプラテンガラス５３、および画像を読み取るための画像読取機構５４を備えている。画像読取機構５４は、プラテンガラス５３の下をプラテンガラス５３に沿って移動する第１キャリッジ５４１、および第１キャリッジ５４１に合わせて移動する第２キャリッジ５４２を備えている。第１キャリッジ５４１は、プラテンガラス５３に向かって光を照射する光照射部５４１ａ、およびプラテンガラス５３上の原稿シートに反射して戻ってきた反射光を反射してこの反射光の進行方向を変更する第１反射ミラー５４１ｂを有し、第２キャリッジ５４２は、第１反射ミラー５４１ｂで反射された反射光を反射する第２反射ミラー５４２ａ、および、第２反射ミラー５４２ａによって反射された反射光をさらに反射する第３反射ミラー５４２ｂを有している。第１キャリッジ５４１および第２キャリッジ５４２は、図示しないステッピングモータにより左右方向に往復移動可能に構成されている。また、画像読取機構５４には、上述の第３反射ミラー５４２ｂによって反射された反射光を収束するレンズ５４３、収束された光を受光して電気的な画像信号に変換してその画像信号を出力するＣＣＤ５４４ａが搭載された信号出力部５４４、および、この信号出力部５４４から出力された画像信号を受け取ってその画像信号に画像処理を施す処理回路５４５ａが搭載された信号処理部５４５が備えられている。また、信号出力部５４４と信号処理部５４５との間には、信号出力部５４４から画像信号を信号処理部５４５へ伝送する信号伝送路７が設けられている。画像読取機構５４は、反射ミラー５４１ｂ，５４２ａ，５４２ｂが取付けられた第１キャリッジ５４１および第２キャリッジ５４２を移動させ、プラテンガラス５３に載せられた原稿シートを左右方向に走査しながら原稿画像を読み出す。ＣＣＤ５４４ａが、本発明にいう受光センサの一例に相当し、信号出力部５４４が、本発明にいう第１の回路基板の一例に相当する。また、処理回路５４５ａが、本発明にいう処理回路の一例に相当し、信号処理部５４５が、本発明にいう第２の回路基板の一例に相当する。また、信号伝送路７が、本発明の信号伝送路の一実施形態であるとともに、本発明にいう信号伝送路の一例に相当する。尚、信号伝送路７についての詳細な説明は後述する。
【００３０】
図３は、図１に示す画像形成装置の画像形成ユニットの概略構成を説明する図である。
【００３１】
図３に示す画像形成ユニット３は、カラーモードとモノクロモードとを有するフルカラータンデム方式を採用した画像形成ユニットである。カラーモードでは、イエロー（Ｙ）、マゼンタ（Ｍ）、シアン（Ｃ）、およびブラック（Ｋ）の４色のトナーそれぞれに対応した、並列配置された４つのトナー像形成部を用い、中間媒体としての中間転写ベルトの送りに同期させて各トナー像形成部でＹＭＣＫ各色のトナー像を形成し、それら各色のトナー像を中間転写ベルト上に順次に重ね合わせて転写（１次転写）し、中間転写ベルト上に重ね合わせたカラートナー像を記録媒体である用紙の表面に転写（２次転写）し定着する。また、モノクロモードでは、４つのトナー像形成部のうちのＫ色に対応したトナー像形成部を用い、中間転写ベルトの送りに同期させてそのトナー像形成部でＫ色のトナー像を形成し、このＫ色のトナー像を中間転写ベルト上に転写し、中間転写ベルト上に転写したトナー像を記録媒体である用紙の表面に転写定着する。なお、この画像形成ユニット３は、用紙すなわち紙の記録媒体のみならず、ＯＨＰシートに代表される樹脂の記録媒体にも対応した装置であるが、以下の説明では、特に断らない限り、用紙で記録媒体を代表させて説明しているものとする。
【００３２】
図３に示す画像形成ユニット３は、それぞれがイエロー（Ｙ）、マゼンタ（Ｍ）、シアン（Ｃ）、およびブラック（Ｋ）の各色に対応した、互いに異なる色の画像形成を担う４つのトナー像形成部３１０Ｙ，３１０Ｍ，３１０Ｃ，３１０Ｋ、および４つの１次転写ロール３２０Ｙ，３２０Ｍ，３２０Ｃ，３２０Ｋを備えている。また、この画像形成ユニット３は、反時計回りの矢印Ｂ方向に周回移動する中間転写ベルト３３０、２次転写を行う一括転写装置３４０、および未定着のトナー像を用紙Ｐの表面に定着させる定着装置３５０も備えている。定着装置３５０は、加熱機構３５１１を有する定着ロール３５１、および定着ロール３５１に対向するように設けられた圧力ロール３５２を備えている。
【００３３】
中間転写ベルト３３０は、駆動ロール３３１、従動ロール３３２、テンションロール３３３、およびバックアップロール３４２に張架された、矢印Ｂ方向に無端の帯状部材である。駆動ロール３３１、従動ロール３３２、テンションロール３３３、およびバックアップロール３４２のそれぞれは、中間転写ベルト３３０の内周面に接触して回転する棒状の回転部材である。
【００３４】
４つのトナー像形成部３１０Ｙ，３１０Ｍ，３１０Ｃ，３１０Ｋは、中間転写ベルト３３０の周回移動方向である矢印Ｂ方向に並んで配備されており、各トナー像形成部３１０Ｙ，３１０Ｍ，３１０Ｃ，３１０Ｋには、感光体ドラム３１１Ｙ，３１１Ｍ，３１１Ｃ，３１１Ｋが配備されている。各感光体ドラム３１１Ｙ，３１１Ｍ，３１１Ｃ，３１１Ｋは、円筒状の外周面を有しており、円筒の軸を中心に時計回りの矢印Ａ方向に周回移動し、その外周面に静電的な画像（以下、この静電的な画像を静電潜像と称する）が形成されてこの静電潜像を保持する。各感光体ドラム３１１Ｙ，３１１Ｍ，３１１Ｃ，３１１Ｋの外周面は、中間転写ベルト３３０の外周面に接触している。
【００３５】
１次転写ロール３２０Ｙ，３２０Ｍ，３２０Ｃ，３２０Ｋは、中間転写ベルト３３０に囲まれた内部の、４つの感光体ドラム３１１Ｙ，３１１Ｍ，３１１Ｃ，３１１Ｋそれぞれに対向した各箇所に配備されている。そして、１次転写ロール３２０Ｙ，３２０Ｍ，３２０Ｃ，３２０Ｋの外周面が中間転写ベルト３３０の内周面に接触している。この１次転写ロール３２０Ｙ，３２０Ｍ，３２０Ｃ，３２０Ｋは、電圧が印加されることで感光体ドラム３１１Ｙ，３１１Ｍ，３１１Ｃ，３１１Ｋ上のトナー像を中間転写ベルト３３０上に静電的に転写する部材であって、各感光体ドラム３１１Ｙ，３１１Ｍ，３１１Ｃ，３１１Ｋと中間転写ベルト３３０とが接する部分が１次転写位置である。
【００３６】
また、各トナー像形成部３１０Ｙ，３１０Ｍ，３１０Ｃ，３１０Ｋには、帯電装置３１２Ｙ，３１２Ｍ，３１２Ｃ，３１２Ｋ、露光光照射装置３１３Ｙ，３１３Ｍ，３１３Ｃ，３１３Ｋ、現像装置３１４Ｙ，３１４Ｍ，３１４Ｃ，３１４Ｋ、補助帯電装置３１５Ｙ，３１５Ｍ，３１５Ｃ，３１５Ｋ、補助露光装置３１６Ｙ，３１６Ｍ，３１６Ｃ，３１６Ｋ、およびドラムクリーニング装置３１７Ｙ，３１７Ｍ，３１７Ｃ，３１７Ｋも備えられている。
【００３７】
帯電装置３１２Ｙ，３１２Ｍ，３１２Ｃ，３１２Ｋは、感光体ドラム３１１Ｙ，３１１Ｍ，３１１Ｃ，３１１Ｋの外周面を負極性に帯電させる装置である。
【００３８】
露光光照射装置３１３Ｙ，３１３Ｍ，３１３Ｃ，３１３Ｋは、信号処理部５４５（図２参照）の処理回路５４５ａ（図２参照）で処理された画像信号に基づく露光光を、帯電装置３１２Ｙ，３１２Ｍ，３１２Ｃ，３１２Ｋで負極性に帯電された感光体ドラム３１１Ｙ，３１１Ｍ，３１１Ｃ，３１１Ｋに照射することによって感光体ドラム３１１Ｙ，３１１Ｍ，３１１Ｃ，３１１Ｋの外周面を露光し、感光体ドラム３１１Ｙ，３１１Ｍ，３１１Ｃ，３１１Ｋの外周面に静電潜像を形成する装置である。
【００３９】
現像装置３１４Ｙ，３１４Ｍ，３１４Ｃ，３１４Ｋは、二成分現像方式を採用したものであり、磁性キャリアとトナーとからなる二成分現像剤が収容されている。また、現像装置３１４Ｙ，３１４Ｍ，３１４Ｃ，３１４Ｋには現像ロール３１４１Ｙ，３１４１Ｍ，３１４１Ｃ，３１４１Ｋが配備されている。現像装置３１４Ｙ，３１４Ｍ，３１４Ｃ，３１４Ｋは、内部でトナーを攪拌することでトナーを負極性に帯電させている。現像装置３１４Ｙ，３１４Ｍ，３１４Ｃ，３１４Ｋは、帯電装置３１２Ｙ，３１２Ｍ，３１２Ｃ，３１２Ｋおよび露光光照射装置３１３Ｙ，３１３Ｍ，３１３Ｃ，３１３Ｋによって形成された静電潜像上に現像ロール３１４１Ｙ，３１４１Ｍ，３１４１Ｃ，３１４１Ｋを介してトナーを電気的に付着させることで、トナーによって描かれたトナー像を形成する装置である。
【００４０】
補助帯電装置３１５Ｙ，３１５Ｍ，３１５Ｃ，３１５Ｋは、１次転写位置において中間転写ベルト３３０に転写されず、感光体ドラム３１１Ｙ，３１１Ｍ，３１１Ｃ，３１１Ｋ上に残留する残留トナーを正極性に帯電させることによって、転写履歴を緩和させる装置である。
【００４１】
補助露光装置３１６Ｙ，３１６Ｍ，３１６Ｃ，３１６Ｋは、感光体電位を調整する装置である。
【００４２】
ドラムクリーニング装置３１７Ｙ，３１７Ｍ，３１７Ｃ，３１７Ｋは、１次転写位置において中間転写ベルト３３０に転写されず、感光体ドラム３１１Ｙ，３１１Ｍ，３１１Ｃ，３１１Ｋ上に残留する残留トナーを、導電性クリーニングブラシ３１７１Ｙ，３１７１Ｍ，３１７１Ｃ，３１７１Ｋで除去する。
【００４３】
以下、図３に示す画像形成ユニット３をカラーモードで動作させるときの画像形成について説明する。
【００４４】
感光体ドラム３１１Ｙ，３１１Ｍ，３１１Ｃ，３１１Ｋの外周面は、帯電装置３１２Ｙ，３１２Ｍ，３１２Ｃ，３１２Ｋによって一様に負極性に帯電される。帯電装置３１２Ｙ，３１２Ｍ，３１２Ｃ，３１２Ｋにより一様に負極性に帯電した感光体ドラム３１１Ｙ，３１１Ｍ，３１１Ｃ，３１１Ｋの外周面には、露光光照射装置３１３Ｙ，３１３Ｍ，３１３Ｃ，３１３Ｋにより静電潜像が形成される。現像装置３１４Ｙ，３１４Ｍ，３１４Ｃ，３１４Ｋの現像ロール３１４１Ｙ，３１４１Ｍ，３１４１Ｃ，３１４１Ｋの周面には、トナーが付着した磁性キャリアが層状となった現像剤層（いわゆる磁気層）が形成され、現像装置３１４Ｙ，３１４Ｍ，３１４Ｃ，３１４Ｋ内で負極性に帯電したトナーは、現像ロール３１４１Ｙ，３１４１Ｍ，３１４１Ｃ，３１４１Ｋが回転することで、この現像剤層から静電潜像を保持した感光体ドラム３１１Ｙ，３１１Ｍ，３１１Ｃ，３１１Ｋの外周面に供給される。その結果、感光体ドラム３１１Ｙ，３１１Ｍ，３１１Ｃ，３１１Ｋの外周面に形成された静電潜像は現像装置３１４Ｙ，３１４Ｍ，３１４Ｃ，３１４Ｋから負極性に帯電したトナーの供給を受けて現像されトナー像となる。
【００４５】
１次転写ロール３２０Ｙ，３２０Ｍ，３２０Ｃ，３２０Ｋには、トナーの極性とは逆極性の正極性の転写バイアスが印加されており、感光体ドラム３１１Ｙ，３１１Ｍ，３１１Ｃ，３１１Ｋの外周面に形成されたトナー像は、感光体ドラム３１１Ｙ，３１１Ｍ，３１１Ｃ，３１１Ｋの外周面から中間転写ベルト３３０の外周面に移行する。各トナー像形成部３１０Ｙ，３１０Ｍ，３１０Ｃ，３１０Ｋで形成されたトナー像は、中間転写ベルト３３０上で１つに重なり合ったカラートナー像となる。
【００４６】
また、一括転写装置３４０は、中間転写ベルト３３０のトナー像が保持された外周面側に、圧力が加えられた状態で接触して配備された二次転写ロール３４１と、中間転写ベルト３３０の内周面側に配備されたバックアップロール３４２を備えており、これら２つのロール３４１，３４２で中間転写ベルト３３０を挟みこんでいる。これら２つのロール３４１，３４２間が二次転写位置になる。
【００４７】
さらに、図３に示す画像形成ユニット３には、用紙トレイ３１，３２（図１参照）または手差しトレイ３３（図１参照）から搬送された用紙Ｐを、シュート３６１を経て二次転写位置に送り出すレジストレーションロール３６２が配備されており、用紙Ｐが所定のタイミングで二次転写位置へと送り込まれる。二次転写位置では、中間転写ベルト３３０上で１つに重なり合ったカラートナー像が、送り込まれてきた用紙Ｐの表面に転写される。
【００４８】
また、この画像形成ユニット３には、カラートナー像が２次転写された用紙Ｐを搬送する搬送ベルト３６３が配備されており、搬送ベルト３６３で搬送された用紙Ｐは定着装置３５０へと送り込まれる。定着装置３５０の互いに対向する定着ロール３５１と圧力ロール３５２との間に、２次転写位置を通過して表面に未定着のカラートナー像が形成された用紙Ｐが搬送されてくると、用紙Ｐの表面に形成された未定着のカラートナー像を構成するトナーは、定着ロール３５１の加熱機構３５１１により溶融されカラートナー像が用紙Ｐの表面に定着され、用紙Ｐの表面に定着トナー像からなる定着画像が形成される。このようにして表面に定着トナー像からなる定着画像が形成された用紙Ｐは、排出ロール３４（図１参照）によって排出トレイ３５（図１参照）上に排出され、積載される。
【００４９】
また、感光体ドラム３１１Ｙ，３１１Ｍ，３１１Ｃ，３１１Ｋの外周面に形成されたトナー像が１次転写位置で中間転写ベルト３３０の外周面に移行した後の感光体ドラム３１１Ｙ，３１１Ｍ，３１１Ｃ，３１１Ｋは、補助帯電装置３１５Ｙ，３１５Ｍ，３１５Ｃ，３１５Ｋによって転写履歴が緩和されるとともに、補助露光装置３１６Ｙ，３１６Ｍ，３１６Ｃ，３１６Ｋによって感光体電位が調整される。また、感光体ドラム３１１Ｙ，３１１Ｍ，３１１Ｃ，３１１Ｋ上の残留トナーは、補助帯電装置３１５Ｙ，３１５Ｍ，３１５Ｃ，３１５Ｋによって正極性に帯電された後に、ドラムクリーニング装置３１７Ｙ，３１７Ｍ，３１７Ｃ，３１７Ｋに配備された導電性クリーニングブラシ３１７１Ｙ，３１７１Ｍ，３１７１Ｃ，３１７１Ｋが負極性の電圧の印加を受けることにより、静電的に除去される。
【００５０】
次に、図２に示す信号伝送路７の構造を詳しく説明する。
【００５１】
図４は、図２に示す信号伝送路の平面図であり、図５は、図４に示す線Ｃ−Ｃに沿った縦断面図である。
【００５２】
信号伝送路７は、複数本の導電線７１１が面状に並んだフレキシブルフラットケーブル（以下、これをＦＦＣと称する。）７１と、ＦＦＣ７１に巻き付けられたシールド材７２とを備えている。シールド材７２は、可撓性のＰＥＴフィルム７２１と、ＰＥＴフィルム７２１の表面７２１ａにアルミが蒸着された第１のアルミ蒸着層７２２と、ＰＥＴフィルム７２１の裏面７２１ｂにアルミが蒸着された第２のアルミ蒸着層７２３と、第２のアルミ蒸着層７２３上に積層された導電性粘着層７２４とを有する。そして、このようなシールド材７２が、導電性粘着層７２４を内側にしてＦＦＣ７１に巻き付けられている。また、第１のアルミ蒸着層７２２は、画像形成装置１（図１参照）の筐体に設けられるフレームグランドに接続されている。また、第２のアルミ蒸着層７２３は、導電板７３を介して、信号出力部５４４（図２参照）や信号処理部５４５（図２参照）の回路基板のシグナルグランドに接続されている。ＦＦＣ７１が、本発明にいうフラットケーブルの一例に相当する。また、シールド材７２が、本発明のシールド材の一実施形態であるとともに、本発明にいうシールド材の一例に相当する。また、ＰＥＴフィルム７２１が、本発明にいう絶縁シートの一例に相当し、第１のアルミ蒸着層７２２が、本発明にいう第１の導電層の一例に相当し、第２のアルミ蒸着層７２３が、本発明にいう第２の導電層の一例に相当し、導電性粘着層７２４が、本発明にいう導電性粘着層の一例に相当する。
【００５３】
以上説明したように、ＦＦＣ７１に巻き付けられたシールド材７２の第１のアルミ蒸着層７２２がフレームグランドに接続されているため、上記回路基板のシグナルグランドに重畳したノイズがシールド材７２へ流れ込んだとしても、シールド材７２がアンテナとなって発生するノイズ放射が抑えられる。そして、本実施形態では、ＰＥＴフィルム７２１の表面７２１ａにアルミを蒸着して第１のアルミ蒸着層７２２が形成されているため、この構成を有しない場合と比較して、上記ノイズ放射を抑える対策が低コストで実現される。また、ＰＥＴフィルム７２１の表面７２１ａと第１のアルミ蒸着層７２２との間に空気が入ることがないため、この２層間の浮遊容量が増え、放射ノイズ抑制の効果が高い。
【００５４】
次に、図６を参照して、ＦＦＣ７１に巻き付けられたシールド材７２の端部処理について説明する。
【００５５】
図６は、図４，図５に示すシールド材の端部処理を説明する縦断面図である。
【００５６】
シールド材７２は、上述したように導電性粘着層７２４を内側にしてＦＦＣ７１を取り巻いており、このシールド材７２の一端部７２ａの上に他端部７２ｂが重なっている。一端部７２ａと他端部７２ｂとの重なり部分については、一端部７２ａの導電性粘着層７２４が他端部７２ｂ側に向くように一端部７２ａが折り返されて、一端部７２ａの導電性粘着層７２４と他端部７２ｂの導電性粘着層７２４が向き合うようにされており、それらの導電性粘着層７２４同士が互いに接着されている。このように一端部７２ａが折り返されて導電性粘着層７２４同士が互いに接着されているため、一端部７２ａの第１のアルミ蒸着層７２２と他端部７２ｂの第２のアルミ蒸着層７２３とが、導電性粘着層７２４を介して導通することが回避される。
【００５７】
次に、以上説明した実施形態に対する第１の変形例について説明する。この第１の変形例は、シールド材７２の端部処理が上述した実施形態とは異なる。以下、相違点に着目して説明する。
【００５８】
図７は、第１の変形例におけるシールド材の端部処理を説明する縦断面図である。
【００５９】
この第１の変形例では、シールド材７２の一端部７２ａと他端部７２ｂが、一端部７２ａの折り返された導電性粘着層７２４の一部が他端部７２ｂから食み出した状態に互いに接着されている。一端部７２ａおよび他端部７２ｂの先端部分を確実に合わせることは難しく、他端部７２ｂが一端部７２ａの先端部分から食み出すと、一端部７２ａの第１のアルミ蒸着層７２２と他端部７２ｂの第２のアルミ蒸着層７２３とが、導電性粘着層７２４を介して導通することとなる。この第１の変形例のように、一端部７２ａの折り返された導電性粘着層７２４の一部が他端部７２ｂから食み出した状態とすることにより、そのような導通が確実に回避される。
【００６０】
また、一端部７２ａの、他端部７２ｂから食み出した領域と、第１のアルミ蒸着層７２２の、一端部７２ａ側のシールド材７２の縁に隣接した領域とを含む領域に非導電性テープ材７４が貼付されている。この非導電性テープ材７４が、本発明にいう非導電性テープ材の一例に相当する。一端部７２ａの折り返された導電性粘着層７２４の一部が他端部７２ｂから食み出した状態では、粘着面が露出することとなるが、このような非導電性テープ材７４が貼付されていることで、粘着面が覆われる。また、この非導電性テープ材７４が貼付されていることで、一端部７２ａの折り返された部分が固定される。
【００６１】
次に、以上説明した実施形態に対する第２の変形例について説明する。この第２の変形例は、シールド材７２の端部処理が上述した実施形態とは異なる。以下、相違点に着目して説明する。
【００６２】
図８は、第２の変形例におけるシールド材の端部処理を説明する縦断面図である。
【００６３】
この第２の変形例では、第１の変形例と同様に、シールド材７２の一端部７２ａと他端部７２ｂが、一端部７２ａの折り返された導電性粘着層７２４の一部が他端部７２ｂから食み出した状態に互いに接着されている。
【００６４】
また、一端部７２ａの、他端部７２ｂから食み出した領域と、第１のアルミ蒸着層７２２の、一端部７２ａ側のシールド材７２の縁に隣接した領域と、他端部７２ｂにおける第１のアルミ蒸着層７２２が形成された領域とを含む領域に非導電性テープ材７５が貼付されている。この非導電性テープ材７５も、本発明にいう非導電性テープ材の一例に相当する。このような非導電性テープ材７５を用いても、粘着面が覆われるとともに、一端部７２ａの折り返された部分が固定される。
【００６５】
尚、上述した各実施形態では、本発明にいう絶縁シートが、ＰＥＴフィルムである例を挙げて説明したが、本発明にいう絶縁シートは、これに限られるものではなく、可撓性の絶縁シートであればいかなるものであってもよい。
【００６６】
また、上述した各実施形態では、本発明にいう第１の導電層や第２の導電層が、本発明にいう絶縁シートの表面にアルミが蒸着されたアルミ蒸着層である例を挙げて説明したが、本発明にいう第１の導電層や第２の導電層は、これに限られるものではなく、例えば、本発明にいう絶縁シートの表面にアルミ箔を貼り付けてなるものなど、本発明にいう絶縁シートの表面に積層された導電層であればいかなるものであってもよい。
【符号の説明】
【００６７】
１    画像形成装置
２    画像読取部（画像読取装置）
３    画像形成ユニット
３１，３２    用紙トレイ
３３    手差しトレイ
３４    排出ロール
３５    排出トレイ
３１０Ｙ，３１０Ｍ，３１０Ｃ，３１０Ｋ    トナー像形成部
３１１Ｙ，３１１Ｍ，３１１Ｃ，３１１Ｋ    感光体ドラム
３１２Ｙ，３１２Ｍ，３１２Ｃ，３１２Ｋ    帯電装置
３１３Ｙ，３１３Ｍ，３１３Ｃ，３１３Ｋ    露光光照射装置
３１４Ｙ，３１４Ｍ，３１４Ｃ，３１４Ｋ    現像装置
３１４１Ｙ，３１４１Ｍ，３１４１Ｃ，３１４１Ｋ    現像ロール
３１５Ｙ，３１５Ｍ，３１５Ｃ，３１５Ｋ    補助帯電装置
３１６Ｙ，３１６Ｍ，３１６Ｃ，３１６Ｋ    補助露光装置
３１７Ｙ，３１７Ｍ，３１７Ｃ，３１７Ｋ    ドラムクリーニング装置
３１７１Ｙ，３１７１Ｍ，３１７１Ｃ，３１７１Ｋ    導電性クリーニングブラシ
３２０Ｙ，３２０Ｍ，３２０Ｃ，３２０Ｋ    １次転写ロール
３３０    中間転写ベルト
３３１    駆動ロール
３３２    従動ロール
３３３    テンションロール
３４０    一括転写装置
３４１    二次転写ロール
３４２    バックアップロール
３５０    定着装置
３５１    定着ロール
３５１１    加熱機構
３５２    圧力ロール
３６１    シュート
３６２    レジストレーションロール
３６３    搬送ベルト
４    操作部
５    画像読取ユニット
５１    カバー
５２    ヒンジ部
５３    プラテンガラス（読取面）
５４    画像読取機構
５４１    第１キャリッジ
５４１ａ    光照射部
５４１ｂ    第１反射ミラー
５４２    第２キャリッジ
５４２ａ    第２反射ミラー
５４２ｂ    第３反射ミラー
５４３    レンズ
５４４    信号出力部
５４４ａ    ＣＣＤ
５４５    信号処理部
５４５ａ    処理回路
６    支持部
７    信号伝送路
７１    ＦＦＣ
７１１    導電線
７２    シールド材
７２ａ    一端部
７２ｂ    他端部
７２１    ＰＥＴフィルム
７２１ａ    表面
７２１ｂ    裏面
７２２    第１のアルミ蒸着層
７２３    第２のアルミ蒸着層
７２４    導電性粘着層
７３    導電板
７４，７５    非導電性テープ材
【図１】
0005945909.tif 000002
【図２】
0005945909.tif 000003
【図３】
0005945909.tif 000004
【図４】
0005945909.tif 000005
【図５】
0005945909.tif 000006
【図６】
0005945909.tif 000007
【図７】
0005945909.tif 000008
【図８】
0005945909.tif 000009